(57)【要約】【課題】収納箱に収納される収納物を整列して並べる仕切部材を、製函機を用いて形成して、折り曲げ作業の作業時間の短縮を図る。【解決手段】仕切部材３を少なくとも１つ備えた収納箱１であって、仕切部材３は、ブランク材を折り曲げ加工して形成され、収納物が載置される載置部５と、載置部５の両側部に各々連設され収納物の端部を保持する断面が凸状の保持部とを備えており、保持部のうち載置部５の側部から立ち上がる立ち上がり壁には収納物の端部が挿入される穴部１９が形成されている。【選択図】図３
2015048123.tif 000002
【特許請求の範囲】
【請求項１】
収納物を収納する収納箱本体と、
前記収納箱本体に設置され、収納物が整列した状態で配置される一以上の仕切部材とを備える収納箱であって、
前記仕切部材は、ブランク材を曲げ加工して形成可能であり、収納物が載置される載置部と、該載置部に連設されて該載置部に載置される収納物の端部を保持するための保持部とを備えており、
前記保持部は、収納物の端部が挿入される穴部を備えており、上方に凸となるトンネル状または箱状に形成されていることを特徴とする収納箱。
【請求項２】
請求項１に記載の収納箱であって、
前記穴部は、収納物が並べられる方向に沿って延長されてなることを特徴とする収納箱。
【請求項３】
請求項１または２に記載の収納箱であって、
前記穴部の開口を形成する辺のうち、底辺の端部から立ち上がる立ち上がり辺が斜めに傾斜されてなることを特徴とする収納箱。
【請求項４】
収納物を収納するための収納箱本体に設置され、収納物が整列した状態で配置される仕切部材であって、
ブランク材を曲げ加工して形成可能であり、収納物が載置される載置部と、該載置部に連設されて該載置部に載置される収納物の端部を保持するための保持部とを備えており、
前記保持部は、収納物の端部が挿入される穴部を備えており、上方に凸となるトンネル状または箱状に形成されていることを特徴とする収納箱用仕切部材。
【請求項５】
収納物を収納する収納箱本体と、
前記収納箱本体に設置され、収納物が整列した状態で配置される一以上の仕切部材とを備える収納箱の製造方法であって、
収納物が載置される載置部と、収納物の端部を挿入してこれを保持するための穴部を備えた保持部とを有する仕切部材のブランク材を打ち抜く第１工程と、
前記第１工程で打ち抜いたブランク材の保持部を、穴部を載置部の側部に位置させた状態で、製函機を用いて上方に凸となるトンネル状または箱状に折り曲げて仕切部材を成形する第２工程と、
前記第２工程で成形した仕切部材を収納箱に配置する第３工程と
を含むことを特徴とする収納箱の製造方法。
【発明の詳細な説明】
【技術分野】
【０００１】
本発明は、スティックコーヒーなどの収納物を収納する収納箱と収納箱用仕切部材並びに収納箱の製造方法に関する。
【背景技術】
【０００２】
従来、スティックコーヒーなどを収納箱に詰め合わせて贈答品として販売する場合には、図２３に示すように、収納物を並べて収納箱２３１に収納するために、収納箱２３１の内部に仕切部材２３２が設置されている。仕切部材２３２は紙製のブランク材を折り曲げて形成されており、たとえば収納物が載置される長方形の載置部２３３と、載置部２３３の両側面に各々形成されスティックコーヒーなどの端部を保持する保持部２３４とを備えている。保持部２３４は断面の形状が凸状であり、スティックコーヒーなどの端部が挿入される穴部２３５が形成されている。保持部２３４の内側には、穴部２３５の打ち抜き片２３６が張り出しており、この打ち抜き片２３６にスティックコーヒーの端部が載置される。
【先行技術文献】
【特許文献】
【０００３】
【特許文献１】特開２００９−１０７６８６号公報
【発明の概要】
【発明が解決しようとする課題】
【０００４】
仕切部材２３２は、紙製のブランク材を手作業で折り曲げて形成されており手間が掛かる。製函機を使ってブランク材を折り曲げることができれば、折り曲げに費やす作業時間を大幅に短縮することができて好ましいが、保持部２３４の内側には、載置部２３３と一体の打ち抜き片２３６が張り出しており、打ち抜き片２３６を残して製函機を使って保持部２３４だけ凸状に折り曲げることが難しい。製函機を用いて打ち抜き片２３６とともに保持部２３４を折り曲げた後に、打ち抜き片２３６を手作業で元の状態に折り返すことも考えられるが、作業に時間が長くなり好ましくない。
【０００５】
本発明の主な目的は、収納箱に収納される収納物が配置される仕切部材を製函機を用いて形成して、仕切部材の折り曲げ作業に費やす時間の短縮を図ることができる収納箱を提供することである。
【課題を解決するための手段及び発明の効果】
【０００６】
上記目的を達成するために、本発明の一の収納箱によれば、収納物を収納する収納箱本体と、前記収納箱本体に設置され、収納物が整列した状態で配置される一以上の仕切部材とを備える収納箱であって、前記仕切部材は、ブランク材を曲げ加工して形成可能であり、収納物が載置される載置部と、該載置部に連設されて該載置部に載置される収納物の端部を保持するための保持部とを備えており、前記保持部は、収納物の端部が挿入される穴部を備えており、上方に凸となるトンネル状または箱状に形成されている。
【０００７】
上記構成によると、保持部はトンネル状または箱状に形成されており、保持部の内面側あるいは外面側に突出する部材はないので、製函機を用いて短時間で仕切部材の全部または一部の折り曲げ加工をすることができる。これによって折り曲げ作業に費やす時間を大幅に短縮することができる。保持部が箱状に形成されている場合には、収納物が収納された仕切部材を収納箱本体から取り出して、収納物が直立した状態でテーブルなどに置くことができる。
【０００８】
また、前記穴部は、収納物が並べられる方向に沿って延長されてなる。
【０００９】
上記構成によると、一つの穴部に複数個の収納物をまとめて挿入することができる。
【００１０】
また、前記穴部の開口を形成する辺のうち、底辺の端部から立ち上がる立ち上がり辺が斜めに傾斜されてなる。
【００１１】
上記構成によると、収納物の端部が穴部の立ち上がり辺に寄り掛かって斜めに傾いた状態で収納物を仕切部材に配置することができる。
【００１２】
また、収納物を収納するための収納箱本体に設置され、収納物が整列した状態で配置される仕切部材は、ブランク材を曲げ加工して形成可能であり、収納物が載置される載置部と、該載置部に連設されて該載置部に載置される収納物の端部を保持するための保持部とを備えており、前記保持部は、収納物の端部が挿入される穴部を備えており、上方に凸となるトンネル状または箱状に形成されている。
【００１３】
上記構成によると、保持部はトンネル状または箱状に形成されており、保持部の内面側あるいは外面側に突出する部材はないので、製函機を用いて短時間で仕切部材の折り曲げ加工をすることができる。
【００１４】
また、収納物を収納する収納箱本体と、前記収納箱本体に設置され、収納物が整列した状態で配置される一以上の仕切部材とを備える収納箱の製造方法は、収納物が載置される載置部と、収納物の端部を挿入してこれを保持するための穴部を備えた保持部とを有する仕切部材のブランク材を打ち抜く第１工程と、前記第１工程で打ち抜いたブランク材の保持部を、穴部を載置部の側部に位置させた状態で、製函機を用いて上方に凸となるトンネル状または箱状に折り曲げて仕切部材を成形する第２工程と、前記第２工程で成形した仕切部材を収納箱に配置する第３工程とを含む。
【００１５】
上記構成によると、仕切部材の保持部の折り曲げ加工の全部または一部を製函機を用いて短時間で行うことができる。
【図面の簡単な説明】
【００１６】
【図１】本発明の第１の実施形態に係る収納箱の部品構成を示す斜視図である。
【図２】仕切部材の展開図である。
【図３】仕切部材の斜視図である。
【図４】内壁部と外壁部との接続部に位置する折り曲げ線を製函機によって折り曲げた状態を示す斜視図である。
【図５】仕切部材が収納箱本体に設置された状態を示す斜視図である。
【図６】スティックコーヒーなどの収納物が仕切部材３に載置された状態を示す斜視図である。
【図７】第２の実施形態に係る仕切部材の展開図である。
【図８】ブランク材を組み立てて形成した仕切部材の斜視図である。
【図９】仕切部材が収納箱本体に設置された状態を示す斜視図である。
【図１０】コーヒースティックが挿入された仕切部材を直立させた状態の斜視図である。
【図１１】第３の実施形態に係る仕切部材の展開図である。
【図１２】仕切部材の展開図である。
【図１３】仕切部材の斜視図である。
【図１４】仕切部材の斜視図である。
【図１５】仕切部材が収納箱本体に設置された状態を示す斜視図である。
【図１６】コーヒースティックが挿入された仕切部材を直立させた状態の斜視図である。
【図１７】第４の実施形態に係る仕切部材の展開図である。
【図１８】仕切部材の展開図である。
【図１９】仕切部材の斜視図である。
【図２０】仕切部材の斜視図である。
【図２１】仕切部材が収納箱本体に設置された状態を示す斜視図である。
【図２２】コーヒースティックが挿入された仕切部材を直立させた状態の斜視図である。
【図２３】従来の仕切部材が収納箱本体に設置された状態を示す斜視図である。
【発明を実施するための形態】
【００１７】
以下、本発明の第１の実施形態について図面に基づいて説明する。ただし、以下に示す実施例は、本発明の技術思想を具体化するための収納箱を例示するものであって、収納箱を以下のものに特定するものではない。
【００１８】
図１は、本発明の第１の実施形態に係る収納箱１の部品構成を示す斜視図である。図２は仕切部材３の展開図を示し、図３は仕切部材３の斜視図を示す。収納箱１は、紙製の収納箱本体２と、収納箱本体２の内部に設置される複数個の仕切部材３と、蓋体４とを備えている。収納箱本体２と蓋体４とは、ブランク材を組み立てて形成される。
【００１９】
図２に示すように、仕切部材３は、展開された状態で、収納物が載置される略長方形の載置部５を備えており、載置部５の両側には、収納物の端部を保持する保持部６を構成する内壁部７と外壁部８とを備えている。内壁部７は、載置部５に連設されて保持部６の内壁９を構成する。外壁部８は、内壁部７の外側に連設されて保持部６の外壁１０を形成する。載置部５の中央部には、長手方向に略Ｃ字状の切り込み線１１が複数箇所に形成される。切り込み線１１の両端部は折り曲げ線１２で結ばれており、切り込み線１１の先端部には半円状の差し込み穴１３が形成されている。切り込み線１１に沿って抜き出した舌片１４で後述する仕切片１５が形成される。なお、載置部５の両端部には、仕切部材３を収納箱本体２の切り込み１６に係止する凸状の係止部１７が形成されている。
【００２０】
内壁部７は細長な長方形であり、一方の長辺が載置部５の側面に形成された折り曲げ線１８によって折り曲げ可能に接続されている。内壁部７には長手方向に穴部１９が複数箇所形成されている。穴部１９は略平行四辺形に形成されており、穴部１９の底辺２０が折り曲げ線１８上に位置している。折り曲げ線１８は、穴部１９を除いた載置部５と内壁部７との接続部に形成されている。外壁部８は細長な長方形であり、一方の長辺が内壁部７の他方の長辺に形成された折り曲げ線２１によって折り曲げ可能に接続されている。
【００２１】
図２に示すブランク材は、載置部５と内壁部７との接続部に位置する折り曲げ線１８と、内壁部７と外壁部８との接続部に位置する折り曲げ線２１とが製函機によって折り曲げられ、水平方向に向いた載置部５の両側部には、断面が逆Ｖ字状で載置部５の長手方向に沿って細長な保持部６が形成される。図３はこのときの仕切部材３を示す。
【００２２】
仕切部材３を手作業で折り曲げる場合には、とくに断続して形成された折り曲げ線１８の折り曲げ作業に手間が掛かるが、保持部６は断面が逆Ｖ字のトンネル状であり、保持部６の内面側あるいは外面側に突出する部材は形成されていないので、保持部６の折り曲げ加工を製函機を用いて短時間で行うことができる。これによって折り曲げ作業に費やす時間を大幅に短縮することができる。なお、差し込み穴１３に指を差し込んで、切り込み線１１に沿って舌片１４を起こして仕切片１５が形成される。
【００２３】
また、内壁部７と外壁部８との接続部に位置する折り曲げ線２１を製函機によって折り曲げ（図４を参照のこと。）、載置部５と内壁部７との接続部に位置する折り曲げ線１８は、仕切部材３を収納箱本体２に設置するときに、人の手によって折り曲げることもできる。このようにすると、製函機で折り曲げた状態の仕切部材３を嵩張らずに保管することができる。
【００２４】
図５は仕切部材３が収納箱本体２に設置された状態を示し、図６はスティックコーヒーなどの収納物が仕切部材３に載置された状態を示す。隣接する仕切部材３同士は、略垂直方向に向いた外壁１０同士が当接した状態で収納箱本体２に設置される。仕切部材３が収納箱本体２の側壁に隣接して設置される場合には、外壁１０が収納箱本体２の側壁に当接した状態で設置される。このように仕切部材３は、隣接する仕切部材３の外壁１０同士が面接触し、あるいは外壁１０が収納箱本体２の側壁と面接触して安定した状態で収納箱本体２に収納される。
【００２５】
図６に示すように、コーヒースティックは複数本がまとめて穴部１９に挿入されるが、穴部１９を構成する傾斜した一辺１９ａ側に位置するコーヒースティックは裏面が一辺１９ａに当接して斜めに傾いた状態で挿入される。穴部１９に挿入される他のコーヒースティックは一辺１９ａ側に挿入されたコーヒースティックの姿勢に合わせて順次当接した状態で保持部６に収容される。穴部１９に挿入された複数本のコーヒースティックは表面が斜め前方に向いており、各コーヒースティックの袋の表示が見易くなる。このように収納物が並べられる方向に沿って延長された穴部１９に複数本のコーヒースティックをまとめて挿入して、作業時間の短縮を図ることができる。
【００２６】
載置部５には、載置部５の長手方向に沿って仕切片１５が複数箇所に形成されている。この仕切片１５を適当な位置に配置してコーヒースティックを種類別に仕切ることができる。
【００２７】
次に、本発明の第２の実施形態について図面に基づいて説明する。第２の実施形態に係る仕切部材３３の展開図を図７に示す。図８はブランク材を組み立てて形成した仕切部材３３の斜視図であり、図９は仕切部材３３が収納箱本体２に設置された状態を示す斜視図である。
【００２８】
仕切部材３３は展開された状態で、収納物が載置される略長方形の載置部３５を備えており、載置部３５の一方側には、収納物の一端部を保持する断面が逆Ｖ字形の保持部３６を構成する内壁部３７と、外壁部３８と、内壁部３７と外壁部３８とを繋ぐ繋ぎ部３９とを備えている。内壁部３７は、複数箇所に穴部５７を備えており、載置部３５に連設されて保持部３６の内壁４０を構成する。外壁部３８は、内壁部３７の外側に連設されて保持部３６の外壁４１を形成する。
【００２９】
載置部３５の他方側には、収納物の他端部を保持する箱状の保持部４４の内壁４５を構成する内壁部４６と、外壁４７を構成する外壁部４８と、上壁４９を構成する上壁部５０と、下壁５１を構成する下壁部５２とを備えている。内壁部４６は、複数箇所に穴部５７を備えている。内壁部４６と外壁部４８と上壁部５０とには各々フラップ５３，５４，５５が連設されており、フラップ５５の端部には差し込み片５６が設けられている。
【００３０】
内壁部３７は、一方の長辺が載置部３５の側面に形成された折り曲げ線５８によって折り曲げ可能に接続されており、他方の長辺が折り曲げ線５９によって繋ぎ部３９と折り曲げ可能に接続されている。外壁部３８は一方の長辺が折り曲げ線６０によって繋ぎ部３９と折り曲げ可能に接続されている。
【００３１】
載置部３５と内壁部４６とは折り曲げ線６３によって折り曲げ可能に接続されており、内壁部４６と上壁部５０とは折り曲げ線６４によって折り曲げ可能に接続されている。上壁部５０と外壁部４８とは折り曲げ線６５によって折り曲げ可能に接続されており、外壁部４８と下壁部５２とは折り曲げ線６６によって折り曲げ可能に接続されている。
【００３２】
載置部３５の一側部には、断面が逆Ｖ字状の細長な保持部３６が形成されており、載置部３５の他側部には、箱状の細長な保持部４４が形成されている。この仕切部材３３は製函機を用いて組み立て可能である。図１０はコーヒースティックが挿入された仕切部材３３を直立させた状態の斜視図である。図１０に示すように、仕切部材３３は、コーヒースティックが収納された状態で収納箱本体２から取り出され、コーヒースティックが直立した状態でテーブルなどに置くことができる。このようにすると、収納箱からコーヒースティックを取り出す手間を省いて簡単にコーヒースティックを使用することができる。
【００３３】
次に、本発明の第３の実施形態について図面に基づいて説明する。仕切部材７３は７３ａと７３ｂとに分割されており、図１１は仕切部材７３ａの展開図を示し、図１２は仕切部材７３ｂの展開図を示す。図１３は仕切部材７３ａの斜視図であり、図１４は仕切部材７３ｂの斜視図である。図１５は仕切部材７３ａと７３ｂとが収納箱本体２に設置された状態を示す斜視図である。仕切部材７３ａは展開された状態で、収納物が載置される略長方形の載置部７５を備えており、載置部７５の一方側には、収納物の一端部を保持する断面が逆Ｖ字形の保持部７６を構成する内壁部７７と、外壁部７８と、内壁部７７と外壁部８８とを繋ぐ繋ぎ部７９とを備えている。内壁部７７には、複数箇所に穴部８７が形成されており、載置部７５に連設されて保持部７６の内壁７０を構成する。外壁部７８は、内壁部７７の外側に連設されて保持部７６の外壁８１を形成する。
【００３４】
仕切部材７３ｂは展開された状態で、収納物の他端部を保持する箱状の保持部８４の内壁８５を構成する内壁部８６と、外壁８７を構成する外壁部８８と、上壁８９を構成する上壁部９０と、下壁９１を構成する下壁部９２とを備えている。内壁部８６には、複数箇所に穴部９７が形成されている。下壁部９２の先端部には下壁部９２を外壁部８８に連結する糊代９３が設けられており、上壁部９０の側部には各々フラップ９４が連設されている。この仕切部材７３は製函機を用いて組み立て可能である。
【００３５】
図１６に示すように、仕切部材７３ｂは、コーヒースティックが収納された状態で収納箱本体から取り出して、コーヒースティックが直立した状態でテーブルなどに置くことができる。コーヒースティックの上部側は、仕切部材７３ｂから露出しているので、コーヒースティックを仕切部材７３ｂから取り出して簡単に使用することができる。このようにすると収納箱を出し入れする手間を省いて簡単にコーヒースティックを使用することができる。
【００３６】
次に、本発明の第４の実施形態について図面に基づいて説明する。仕切部材１１３は１１３ａと１１３ｂとに分割されており、図１７は仕切部材１１３ａの展開図を示し、図１８は仕切部材１１３ｂの展開図を示す。図１９は仕切部材１１３ａの斜視図を示し、図２０は仕切部材１１３ｂの斜視図を示す。図２１は仕切部材１１３ａ，１１３ｂが収納箱本体２に設置された状態を示す。仕切部材１１３ａは展開された状態で、収納物が載置される略長方形の載置部１１５を備えており、載置部１１５の一方側には、収納物の一端部を保持する断面が逆Ｖ字形の保持部１１６を構成する内壁部１１７と、外壁部１１８と、内壁部１１７と外壁部１１８とを繋ぐ繋ぎ部１１９とを備えている。内壁部１１７には、複数の穴部１３４が形成されており、コーヒースティックはこの穴部１３４に１本ずつ挿入される。内壁部１１７は載置部１１５に連設されて保持部１１６の内壁１１０を構成する。外壁部１１８は、内壁部１１７の外側に連設されて保持部１１６の外壁１２１を形成する。
【００３７】
仕切部材１１３ｂは展開された状態で、収納物の他端部を保持する箱状の保持部１２４の内壁１２５を構成する内壁部１２６と、外壁１２７を構成する外壁部１２８と、上壁１２９を構成する上壁部１３０と、下壁１３１を構成する下壁部１３２とを備えている。内壁部１２６には、複数箇所に穴部１３７が形成されており、コーヒースティックはこの穴部１３７に１本ずつ挿入される。下壁部１３２の先端部には下壁部１３２を外壁部１２８に連結する糊代１３３が設けられており、上壁部１３０の側部には各々フラップ１３５が連設されている。この仕切部材１１３は製函機を用いて組み立て可能である。
【００３８】
図２２に示すように、仕切部材１１３ｂは、コーヒースティックが収納された状態で収納箱本体２から取り出して、コーヒースティックが直立した状態でテーブルなどに置くことができる。コーヒースティックの上部側は仕切部材１１３ｂから露出しているので、コーヒースティックを仕切部材１１３ｂから取り出して簡単に使用することができる。このようにすると収納箱を出し入れする手間を省いて簡単にコーヒースティックを使用することができる。
【産業上の利用可能性】
【００３９】
本発明の収納箱は、スティックコーヒーやスティックタイプの砂糖などの食品や薬剤、その他の袋入りの収納物を収納する収納箱として好適に利用できる。
【符号の説明】
【００４０】
１，２３１…収納箱
２…収納箱本体
３，３３，７３，７３ａ，７３ｂ，１１３，１１３ａ，１１３ｂ，２３２…仕切部材
４…蓋体
５，３５，７５，１１５，２３３…載置部
６，３６，４４，７６，８４，１１６，１２４，２３４…保持部
７，３７，４６，７７，８６，１１７，１２６…内壁部
８，３８，４８，７８，８８，１１８，１２８…外壁部
９，４０，４５，８５，１１０，１２５…内壁
１０，４１，４７，８１，８７，１２１，１２７…外壁
１１…切り込み線
１２…折り曲げ線
１３…差し込み穴
１４…舌片
１５…仕切片
１６…切り込み
１７…係止部
１８…折り曲げ線
１９，５７，８７，９７，１３４，１３７，２３５…穴部
１９ａ…辺
２０…底辺
２１，５８，５９，６３，６４，６５，６６…折り曲げ線
３９，７９，１１９…繋ぎ部
４９，８９，１２９…上壁
５０，９０，１３０…上壁部
５１，９１，１３１…下壁
５３，５４，５５，９４，１３５…フラップ
５６…差し込み片
５２，９２，１３２…下壁部
９３，１３３…糊代
２３６…打ち抜き片
【図１】
2015048123.tif 000003
【図２】
2015048123.tif 000004
【図３】
2015048123.tif 000005
【図４】
2015048123.tif 000006
【図５】
2015048123.tif 000007
【図６】
2015048123.tif 000008
【図７】
2015048123.tif 000009
【図８】
2015048123.tif 000010
【図９】
2015048123.tif 000011
【図１０】
2015048123.tif 000012
【図１１】
2015048123.tif 000013
【図１２】
2015048123.tif 000014
【図１３】
2015048123.tif 000015
【図１４】
2015048123.tif 000016
【図１５】
2015048123.tif 000017
【図１６】
2015048123.tif 000018
【図１７】
2015048123.tif 000019
【図１８】
2015048123.tif 000020
【図１９】
2015048123.tif 000021
【図２０】
2015048123.tif 000022
【図２１】
2015048123.tif 000023
【図２２】
2015048123.tif 000024
【図２３】
2015048123.tif 000025